(57)【特許請求の範囲】
【請求項１】
煙火災検知器をその中空部に収容しながら前記煙火災検知器に覆設されるカバー本体と、このカバー本体の内側側面上に固設される弾性緩衝材と、を有し、
前記弾性緩衝材は、スポンジ体であり、かつ、その中央への前記煙火災検知器の挿脱を可能にする空隙又はスリット、あるいは、これらの組み合わせを備え、
前記弾性緩衝材中に前記煙火災検知器を挿入した場合に、前記弾性緩衝材が前記煙火災検知器の最外に位置する周側面の形状に沿って弾性変形して、前記煙火災検知器の前記周側面上に前記カバー本体が保持され、
前記カバー本体は、前記煙火災検知器を収容する前記中空部を第１の中空部とし、この第１の中空部が形成される領域を第１の室部とすると、その底面側に、前記第１の室部と分離されてなる第２の室部を一体に備え、
前記第２の室部には第２の中空部が形成され、
前記第２の室部は、その鉛直下方側に前記カバー本体を前記煙火災検知器に着脱させるのに用いる取付け治具の頭部を挿脱可能にする切欠き部を備えていることを特徴とする煙火災検知器保護カバー。
【請求項２】
前記弾性緩衝材は、低反発性素材であることを特徴とする請求項１記載の煙火災検知器保護カバー。
【請求項３】
前記切欠き部の形状の少なくとも一部は、前記取付け治具の前記頭部の平面形状と符合している、又は、相似であることを特徴とする請求項１又は請求項２に記載の煙火災検知器保護カバー。
【請求項４】
前記第２の室部は、前記取付け治具の前記頭部の回動動作を規制するストッパーを備えていることを特徴とする請求項１乃至請求項３のいずれか１項に記載の煙火災検知器保護カバー。
【請求項５】
前記カバー本体は、前記カバー本体を前記煙火災検知器から取り外すための紐を備えていることを特徴とする請求項１乃至請求項４のいずれか１項に記載の煙火災検知器保護カバー。
【請求項６】
請求項１乃至請求項５のいずれか１項に記載の煙火災検知器保護カバーの前記切欠き部から前記第２の中空部に挿脱可能な前記頭部と、
前記頭部の鉛直下方側に垂設される操作棒と、を有することを特徴とする煙火災検知器保護カバー取付け治具。
【発明の詳細な説明】
【技術分野】
【０００１】
本発明は、煙火災検知器への着脱が容易でかつ構造がシンプルであり、しかも、汎用性が高い煙火災検知器保護カバーおよびその取付け治具に関する。
【背景技術】
【０００２】
従来、煙火災検知器周辺において、火花や粉塵、あるいは、煙を生じるような作業を行うと、煙火災検知器が誤作動することがあった。このような煙火災検知器の誤作動を防止するために、シート体（養生シート）等で煙火災検知器をカバーした状態で作業を行っていた。
その一方で、シート体（養生シート）等による簡易のカバーでは、隙間が生じる場合があり、その隙間から粉塵、あるいは、煙が煙火災検知器に侵入して、煙火災検知器が誤作動してしまい、必要な作業を継続できないような事態が生じていた。
また、このようなシート体（養生シート）は通常、透明か又は半透明状態であるので、高所等においてはカバー体の着脱状態を目視で確認しづらく、作業終了後のカバー体の取外し忘れが生じるという課題もあった。
このような従来の課題に対処することを目的とした先行技術としては、特開２００９−２５１６５７号公報（特許文献１）が知られていた。
このような特許文献１に開示される発明によれば、ビニール袋を利用することで簡易に煙火災検知器に、カバーを着脱できるというメリットを有する。その一方で、ビニール袋は合成樹脂製であるため、火花が触れた場合はその熱で瞬時に穴が開いてしまい、目的とする機能を発揮させることができなくなるという懸念があった。
他方、より高性能な煙火災検知器用カバーとしては、例えば、特開平９−１４７２５９号公報（特許文献２）、特開２００６−２５２３６８号公報（特許文献３）、実願平１−１３８５７８号（実開平３−７８３９３号）のマイクロフィルム（特許文献４）、特開２０００−２６８２６８号公報（特許文献５）等が開示されている。
【先行技術文献】
【特許文献】
【０００３】
【特許文献１】特開２００９−２５１６５７号公報
【特許文献２】特開平９−１４７２５９号公報
【特許文献３】特開２００６−２５２３６８号公報
【特許文献４】実願平１−１３８５７８号（実開平３−７８３９３号）のマイクロフィルム
【特許文献５】特開２０００−２６８２６８号公報
【発明の概要】
【発明が解決しようとする課題】
【０００４】
上述の特許文献２に開示される発明の場合、煙火災検知器へのカバーの着脱は、第一又は第二の空気袋中に封止される気体の圧力によって行われている。この場合、それぞれの空気袋に何らかの原因で穴が空いてしまった場合は、それぞれの空気袋が目的とする機能を発揮しなくなるので、その取扱いには注意が必要であった。つまり、様々な工具が使用される作業現場では、それぞれの空気袋が、その使用前に破損するリスクが高く、使用時および保管時の取り扱いについて課題があった。
さらに、特許文献２に開示される発明の場合は、煙火災検知器からカバーを取り外す際に、第二の空気袋に穴をあける必要がある。このことは、特許文献２に開示される発明が使い捨てされることを意味し、作業の度に煙火災検知器用カバーを使い捨てることは不経済であった。
【０００５】
特許文献３に開示される発明の場合は、特定の形状の煙火災検知器に特化したカバーであるため、それ以外の形状の煙火災検知器には使用できないという課題があった。
【０００６】
特許文献４に開示される発明の場合は、煙火災検知器と天井との間に隙間が形成されるタイプの煙火災検知器には装着できるものの、そうでない場合はカバーを煙火災検知器装着できないため、やはり、汎用性が低いという課題があった。
【０００７】
特許文献５に開示される発明の場合、煙火災検知器へのカバーの着脱は、カバーの内側面上に周設されるフェルトの弾性変形によりなされている。
この場合、例えば、煙火災検知器の最外に位置する周側面が鉛直下方側に向かって縮径するテーパー状である場合は、カバーを装着できない可能性があり、やはり、汎用性が低いという課題があった。
また、フェルトの収縮率を考えると、特許文献５に開示される煙火災検知器用カバーを用いる場合は、煙火災検知器の外形に応じて適切な大きさのものを準備する必要があった。つまり、異なる形状の煙火災検知器が混在する場合は、それぞれの形状に応じた煙火災検知器用カバーを準備する必要があり、煩雑であった。
さらに、特許文献５に開示される発明の場合は、煙火災検知器用カバーとその取付け治具が対応する構成であるので、異なる大きさの煙火災検知器用カバーを用いる場合は、それに合わせた取付け治具を準備する必要があった。したがって、この点からも特許文献５に開示される発明は、煙火災検知器の形状や大きさに対する汎用性が高いとは言い難かった。
加えて、特許文献５に開示される発明の場合、煙火災検知器用カバーに設けられる取付け用の嵌合構造と、煙火災検知器用カバーを装着するための治具に設けられる嵌合構造とが、上手く噛み合っているか否かを、真下から見て容易に確認することができない。このため、煙火災検知器のカバーの着脱作業を効率よく行うことができないという課題もあった。また、せっかく装着された煙火災検知器用カバーを、治具の取外し時に意図せず外してしまう恐れがあり、作業性を向上し難いという課題もあった。
【０００８】
本発明はかかる従来の事情に対処してなされたものでありその目的は、被装着対象である煙火災検知器の外形が異なる場合でも同じものを使用できて汎用性が高く、かつ、その構造が極めてシンプルな煙火災検知器保護カバーを提供することにある。
さらに、上記目的に加えて、煙火災検知器保護カバーを真下から見上げるだけで、その取付け治具の装着状態を目視により容易に確認することができる煙火災検知器保護カバーおよびその取付け治具を提供することにある。
【課題を解決するための手段】
【０００９】
上記課題を解決するため第１の発明である煙火災検知器保護カバーは、煙火災検知器をその中空部に収容しながら煙火災検知器に覆設されるカバー本体と、このカバー本体の内側側面上に固設される弾性緩衝材と、を有し、弾性緩衝材は、スポンジ体であり、かつ、その中央への煙火災検知器の挿脱を可能にする空隙又はスリット、あるいは、これらの組み合わせを備え、弾性緩衝材中に煙火災検知器を挿入した場合に、弾性緩衝材が煙火災検知器の最外に位置する周側面の形状に沿って弾性変形して、煙火災検知器の周側面上にカバー本体が保持されることを特徴とするものである。
上記構成の第１の発明において、カバー本体は、煙火災検知器をその中空部に収容することで、煙火災検知器にカバー本体が隙間なく覆設される。これにより、火花や粉塵、煙等が煙火災検知器に進入するのを妨げるという作用を有する。また、弾性緩衝材は、煙火災検知器の周側面上にカバー本体を着脱可能に保持するとともに、カバー本体の外部から煙火災検知器に作用する衝撃を緩衝して、煙火災検知器を保護するという作用を有する。
また、弾性緩衝材が、その中央に空隙又はスリット、あるいは、これらの組み合わせを備えていることで、弾性緩衝材の中央部への煙火災検知器の挿脱が可能になる。
さらに、弾性緩衝材に形成される空隙又はスリット、あるいは、これらの組み合わせに煙火災検知器を挿入した場合に、弾性緩衝材が、煙火災検知器の最外に位置する周側面の形状に沿って弾性変形することで、煙火災検知器の最外に位置する周側面が弾性緩衝材に包み込まれるようにして密着して、カバー本体が保持される。
【００１０】
第２の発明である煙火災検知器保護カバーは、第１の発明である煙火災検知器保護カバーであって、弾性緩衝材は、低反発性素材であることを特徴とするものである。
上記構成の第２の発明は、第１の発明と同じ作用に加えて、弾性緩衝材を、低反発性素材により構成することで、弾性緩衝材が一旦押し縮められて復元する際に、煙火災検知器の最外に位置する周側面上に、弾性緩衝材を一層隙間なく密着させるという作用を有する。
【００１１】
第３の発明である煙火災検知器保護カバーは、第１又は第２の発明であって、カバー本体は、煙火災検知器を収容する中空部を第１の中空部とし、この第１の中空部が形成される領域を第１の室部とすると、その底面側に、第１の室部と分離されてなる第２の室部を一体に備え、第２の室部には第２の中空部が形成され、第２の室部は、その鉛直下方側にカバー本体を煙火災検知器に着脱させるのに用いる取付け治具の頭部を挿脱可能にする切欠き部を備えていることを特徴とする
ものである。
上記構成の第３の発明は、第１又は第２の発明と同じ作用に加えて、第２の室部に形成される第２の中空部は、取付け治具の頭部を収容するという作用を有する。また、切欠き部は、第２の中空部への取付け治具の頭部の挿脱可能にするという作用を有する。
また、切欠き部が、室部の鉛直下方側に形成されることで、カバー本体を取り外す際に作業者は、カバー本体の鉛直下方側からカバー本体を見上げるだけで、取付け治具の頭部を、切欠き部に適切に挿入できているか否かを目視により確認可能にするという作用を有する。
また、煙火災検知器への煙火災検知器保護カバーの装着が完了した場合に、作業者は、カバー本体の鉛直下方側からカバー本体を見上げることで、目視により確認しながら、取付け治具の頭部を、切欠き部から抜き取ることを可能にするという作用を有する。
【００１２】
第４の発明である煙火災検知器保護カバーは、第１乃至第３の発明のいずれかであって、前記切欠き部の形状の少なくとも一部は、前記取付け治具の前記頭部の平面形状と符合している、又は、相似であることを特徴とするものである。
上記構成の第４の発明は、第１乃至第３の発明のそれぞれと同じ作用に加えて、切欠き部の形状の少なくとも一部が、取付け治具の頭部の平面形状と符合している、又は、相似であることで、取付け治具の頭部が、切欠き部のある位置に適切に配置されているか否かを、カバー本体の鉛直下方側から目視により確認可能にするという作用を有する。
【００１３】
第５の発明である煙火災検知器保護カバーは、第１乃至第４の発明のいずれかであって、第２の室部は、取付け治具の頭部の回動動作を規制するストッパーを備えていることを特徴とするものである。
上記構成の第５の発明は、第１乃至第４の発明のそれぞれと同じ作用に加えて、ストッパーは、第２の室部内における所望の位置に取付け治具の頭部を配置させるという作用を有する。
【００１４】
第６の発明である煙火災検知器保護カバーは、第１乃至第５の発明のいずれかであって、カバー本体は、カバー本体を煙火災検知器から取り外すための紐を備えていることを特徴とするものである。
上記構成の第６の発明は、第１乃至第５の発明のそれぞれと同じ作用に加えて、紐は、取付け治具を使用することなく煙火災検知器から煙火災検知器保護カバーの取り外しを可能にするという作用を有する。
【００１５】
第７の発明である煙火災検知器保護カバー取付け治具は、第３乃至第５のいずれかの発明である煙火災検知器保護カバーの切欠き部から第２の中空部に挿脱可能な頭部と、頭部の鉛直下方側に垂設される操作棒と、を有することを特徴とするものである。
上記構成の第７の発明では、頭部は、第２の中空部において、煙火災検知器にカバー本体を押しつけるように、または、煙火災検知器からカバー本体を引き離すように、力を作用させる。
また、操作棒は、間接的に頭部を操作可能にするという作用を有する。
【発明の効果】
【００１６】
上述のような第１の発明によれば、煙火災検知器の最外に位置する周側面と弾性緩衝材との接触面積を大きくでき、かつ、弾性緩衝材との密着性も高めることができる。これにより、様々な形状及び大きさの煙火災検知器に第１の発明に係る煙火災検知器保護カバーを装着することが可能になる。上述のような第１の発明によれば、煙火災検知器の最外に位置する周側面が、鉛直下方側に向かって縮径していても、支障なく装着できる。よって、第１の発明に係る煙火災検知器保護カバーの汎用性を高めることができる。
また、弾性緩衝材をスポンジ体とすることで、第１の発明に係る煙火災検知器保護カバーを繰り返し使用できる。加えて、煙火災検知器を外部の衝撃から保護することもできる。よって、第１の発明を緩衝機能付きの耐用品として使用することができる。
【００１７】
第２の発明は、上述の第１の発明と同じ効果に加えて、弾性緩衝材が低反発性素材からなるスポンジ体であることで、装着対象である煙火災検知器を包み込むようにして保持することができるので、弾性緩衝材によるカバー本体の保持性を向上させることができる。これにより、第１の発明と比較して第２の発明の汎用性及び信頼性を一層向上できる。
【００１８】
第３の発明は、上述の第１又は第２の発明と同じ効果に加えて、煙火災検知器への煙火災検知器保護カバーの装着後に、取付け治具の頭部の第２の室部からの取外しをスムーズにするという効果を有する。さらに、煙火災検知器への煙火災検知器保護カバーの取付け時に、第２の室部への取付け治具の頭部の挿入をスムーズにできるという効果も有する。
この結果、煙火災検知器への煙火災検知器保護カバーの着脱作業の作業性を向上できる。
また、煙火災検知器に一旦、煙火災検知器保護カバーが装着された際に、取付け治具の頭部を第２の室部から取り外そうとして煙火災検知器保護カバーに、不必要な力が作用して、煙火災検知器保護カバーが意図せず外れてしまうのを防止できる。
よって、第３の発明の発明によれば、取付け治具を使用する際の作業性を大幅に向上できる。
【００１９】
第４の発明は、上述の第１乃至第３のそれぞれの発明と同じ効果に加えて、第２の室部への、取付け治具の頭部の挿脱作業を一層スムーズにするという効果を有する。
この結果、煙火災検知器への煙火災検知器保護カバーの着脱作業時の作業性を一層向上できる。
【００２０】
第５の発明は、上述の第１乃至第４のそれぞれの発明と同じ効果に加えて、第２の室部に収容された取付け治具の頭部の位置が外部から目視により確認できなくとも、取付け治具を回動させるだけで、煙火災検知器保護カバーの着脱作業に最適な位置に取付け治具の頭部を配置できる。
これにより、煙火災検知器保護カバーの着脱作業時の作業性を向上できる。
【００２１】
第６の発明は、上述の第１乃至第５のそれぞれの発明と同じ効果に加えて、  煙火災検知器からの煙火災検知器保護カバーの取り外しを容易にするという効果を有する。
この結果、第６の発明に係る煙火災検知器保護カバーの利便性を向上できる。
さらに、紐は通常、火災検知器に煙火災検知器保護カバーが取り付けられていない場合には存在しないため、作業員に対して火災検知器に煙火災検知器保護カバーが取り付けられていることを示すサインにもなる。
この場合、火花や粉塵、煙等を生じるような作業が完了した後に、煙火災検知器から煙火災検知器保護カバーの取り外し忘れるのを好適に防止できる。
【００２２】
第７の発明は、上述の第３乃至第５のそれぞれの発明である煙火災検知器保護カバーの着脱を行うための取付け治具である。
第７の発明によれば、作業者は、第３乃至第５のそれぞれの煙火災検知器保護カバーの着脱作業を行う際に、鉛直上方を見上げるだけで、目的とする箇所に取付け治具の頭部を配置できる。
この結果、第３乃至第５のそれぞれの煙火災検知器保護カバーの着脱作業の作業性を大幅に向上できる。
さらに、異なる大きさの煙火災検知器保護カバーを複数種類準備する場合でも、１種類の取付け治具を用いてこれらすべてを操作できるというメリットも有する。
よって、構造がシンプルでかつ、汎用性の高い取付け治具を提供できる。
【図面の簡単な説明】
【００２３】
【図１】（ａ）本発明の実施例１に係る煙火災検知器保護カバーの垂直方向断面図である。（ｂ）本発明の実施例１に係る煙火災検知器保護カバーを底面側から見た図である。
【図２】本発明の実施例１に係る煙火災検知器保護カバー取付け治具の側面図である。
【図３】（ａ）本発明の実施例１に係る煙火災検知器保護カバーの第２の中空部への取付け治具の頭部の装着手順を示すための概念図である。（ｂ）本発明の実施例１に係る煙火災検知器保護カバーに取付け治具を装着した状態を示す垂直方向断面図である。
【図４】（ａ）本発明の実施例１の変形例に係る煙火災検知器保護カバーを底面側から見た図である。（ｂ）本発明の実施例１の変形例に係る煙火災検知器保護カバーの第２の中空部への取付け治具の頭部の装着手順を示すための概念図である。
【図５】（ａ）本発明の実施例２に係る煙火災検知器保護カバーの概念図である。（ｂ）本発明の実施例２に係る煙火災検知器保護カバーの使用状態を示す垂直方向断面図である。
【図６】（ａ），（ｂ）はともに本発明に係る煙火災検知器保護カバーの装着対象である煙火災検知器の側面図である。
【発明を実施するための形態】
【００２４】
本発明の実施の形態に係る煙火災検知器保護カバーおよびその取付け治具について図１乃至図５を参照しながら詳細に説明する。
【００２５】
まず、図６を参照しながら本発明に係る煙火災検知器保護カバーの装着対象である、煙火災検知器の外形について説明する。
図６（ａ），（ｂ）はともに本発明に係る煙火災検知器保護カバーの装着対象である煙火災検知器の側面図である。
図６（ａ），（ｂ）に示すように、煙火災検知器は様々な形状を有している。例えば、図６（ａ）に示す煙火災検知器１３Ａのように、天井１２に取設される部分がずん胴に構成されるものや、図６（ｂ）に示す煙火災検知器１３Ｂのように、天井１２に取設される部分が鉛直下方側に向かって縮径するテーパー状のものなどがある。
特に、煙火災検知器１３Ｂのような形状を有する場合は、上述の特許文献５に開示される技術内容を参酌しても、その胴部に煙火災検知器保護カバーをしっかり固定することは困難であった。
【実施例１】
【００２６】
はじめに、図１乃至図３を参照しながら実施例１に係る煙火災検知器保護カバーおよびその取付け治具について説明する。
図１（ａ）は本発明の実施例１に係る煙火災検知器保護カバーの垂直方向断面図である。また、（ｂ）は本発明の実施例１に係る煙火災検知器保護カバーを底面側から見た図である。つまり、図１（ｂ）は、図１（ａ）中の符号Ａで示す方向から見た矢視図である。
図１に示すように、実施例１に係る煙火災検知器保護カバー１Ａ１は主に、第１の室部２ａと第２の室部２ｂとが連結されてなるカバー本体２と、第１の室部２ａに形成される第１の中空部３ａの内側面上に一体に固設される弾性緩衝材４からなるものである。
なお、この弾性緩衝材４は、スポンジ体である。
また、第１の室部２ａへの弾性緩衝材４の固定方法を特定する必要は特にないが、例えば、接着剤５等により固定すればよい。
また、この弾性緩衝材４には、先の図６に示す煙火災検知器１３Ａや煙火災検知器１３Ｂを挿脱可能にするために中空部４ａが形成されている。
実施例１に係る煙火災検知器保護カバー１Ａ１では、この中空部４ａに煙火災検知器１３Ａや煙火災検知器１３Ｂを挿入した際に、弾性緩衝材４を、煙火災検知器１３Ａや煙火災検知器１３Ｂの外形に沿って弾性変形させて、煙火災検知器１３Ａや煙火災検知器１３Ｂの最外に配置される周側面上にカバー本体２を保持しておく必要がある。
このため、弾性緩衝材４に形成される中空部４ａの径Ｃは、先の図６に示す煙火災検知器１３Ａや煙火災検知器１３Ｂの最外に位置する周側面を形成する径において最も小さい値（径Ｂ、図６を参照）よりも小さく設定しておく必要がある。
【００２７】
また、実施例１に係る煙火災検知器保護カバー１Ａ１は、第１の室部２ａの鉛直下方側に、この第１の室部２ａに形成される第１の中空部３ａと分離されてなる第２の室部２ｂを備えており、第２の室部２ｂには第２の中空部３ｂが形成されている。
さらに、図１（ａ），（ｂ）に示されるように、第２の室部２ｂの鉛直下方側には、その第２の中空部３ｂへの取付け治具９（後段において説明する図２を参照）の頭部１０（後段において説明する図２を参照）の挿脱を可能にするための切欠き部６ａが形成されている。
加えて、本実施の形態に係る煙火災検知器保護カバー１Ａ１は、図１に示すように、カバー本体２に取り外し用の紐８を備えていてもよい。この場合、後段において詳細に説明するが、煙火災検知器（例えば、煙火災検知器１３Ａ，１３Ｂ）に装着された煙火災検知器保護カバー１Ａ１を、上述の取付け治具９（後段において説明する図２を参照）を用いることなく取り外すことができる。
【００２８】
次に、図２を参照しながら、実施例１に係る煙火災検知器保護カバー１Ａ１を、煙火災検知器（例えば、煙火災検知器１３Ａ，１３Ｂ）に挿脱する際に用いる取付け治具について説明する。
図２は本発明の実施例１に係る煙火災検知器保護カバー取付け治具の側面図である。
図２に示すように、実施例１に係る煙火災検知器保護カバー取付け治具９（以下、単に取付け治具９とよぶ。）は、上述の実施例１に係る煙火災検知器保護カバーの第２の室部２ｂに形成される切欠き部６ａから第２の中空部３ｂに挿脱可能な頭部１０と、この頭部１０の鉛直下方側に垂設される棒体１１とからなるものである。
なお、頭部１０の上面１０ａを、カバー本体２の第２の室部２ｂの鉛直上方側の面に押し当てて、カバー本体２を操作するため、頭部１０の上面１０ａをフラットにしておく必要がある。
さらに、第２の中空部３ｂにおいて取付け治具９の頭部１０を水平方向に回動可能にするために、取付け治具９の頭部１０の鉛直方向の厚みを、先の図１（ａ）に示す第２の中空部３ｂの鉛直方向における空隙幅よりも小さく設定しておく必要がある。
【００２９】
さらに、取付け治具９の棒体１１は、特に図示しないが、複数の棒体により構成し、必要に応じてこれらを直列に連結可能に構成してもよい。この場合、棒体１１の長さを所望に調節することができる。
あるいは、棒体１１に伸縮機構を設けておき、この伸縮機構により棒体１１の長さを調節可能にしてもよい。
このように、取付け治具９の棒体１１の長さが調節可能であることで、地上から高く離れた天井に装着対象である煙火災検知器（例えば、煙火災検知器１３Ａ，１３Ｂ）が設けられる場合でも、作業員は、脚立等を用いることなく床面上に居ながらにして実施例１に係る煙火災検知器保護カバー１Ａ１の着脱作業を行うことができる。
これにより、実施例１に係る煙火災検知器保護カバー１Ａ１の着脱作業時における作業性と安全性を同時に向上できる。
【００３０】
続いて、図３を参照しながら、装着対象である、例えば、煙火災検知器１３Ａに、図２示す取付け治具９を用いて、実施例１に係る煙火災検知器保護カバー１Ａ１を装着する手順について詳細に説明する。
図３（ａ）は本発明の実施例１に係る煙火災検知器保護カバーの第２の中空部への取付け治具の頭部の装着手順を示すための概念図である。（ｂ）は本発明の実施例１に係る煙火災検知器保護カバーに取付け治具を装着した状態を示す垂直方向断面図である。なお、図１，３，６に記載されたものと同一部分については同一符号を付し、その構成についての説明は省略する。また、図３（ａ）においては紐８の記載を省略した。
図３（ａ）に示すように、カバー本体２の鉛直下方の最下面に形成される切欠き部６ａから、第２の室部２ｂの第２の中空部３ｂ内に、取付け治具９の頭部１０を挿入し、柄である棒体１１（図２を参照）を、例えば、時計回り方向に９０°回動させて、図３（ａ）中において破線で示すように、切欠き部６ａの縁部に取付け治具９の頭部１０を係止させる。
【００３１】
なお、実施例１に係る煙火災検知器保護カバー１Ａ１は、第２の中空部３ｂに、取付け治具９の頭部１０の回動動作を規制するストッパー７を備えていてもよい。この場合、第２の中空部３ｂにおいて取付け治具９の頭部１０を、棒体１１を基軸に回動させた際に、カバー本体２の操作に最適で、かつ、切欠き部６ａから取付け治具９の頭部１０が抜け難い位置に、頭部１０を配置することができる。
【００３２】
そして、カバー本体２の第２の中空部３ｂに、取付け治具９の頭部１０を収容して、切欠き部６ａの縁部に係止させた状態が、実施例１に係る煙火災検知器保護カバー１Ａ１の取付け準備が完了した状態である（図３（ａ）破線部を参照）。
この状態で、取付け治具９の棒体１１を操作して、実施例１に係る煙火災検知器保護カバー１Ａ１を天井近くの、例えば、煙火災検知器１３Ａ近傍に持ち運び、そのまま、煙火災検知器１３Ａに実施例１に係る煙火災検知器保護カバー１Ａ１を被せればよい。この時、実施例１に係る煙火災検知器保護カバー１Ａ１の弾性緩衝材４の中空部４ａに煙火災検知器１３Ａが押し込まれ、煙火災検知器１３Ａにより弾性緩衝材４が弾性変形して、その反発力により煙火災検知器１３Ａの最外に位置する周側面上に煙火災検知器保護カバー１Ａ１が保持される。
この時、煙火災検知器１３Ａの最外に位置する周側面には、図３（ｂ）中に矢印で示すような押圧力が作用し続ける。
【００３３】
また、実施例１に係る煙火災検知器保護カバー１Ａ１の弾性緩衝材４がスポンジ体であることで、カバー本体２の外部からカバー本体２に衝撃が加わった場合、例えば、カバー本体２に何かがぶつかった場合に、この衝撃から装着対象である煙火災検知器（例えば、煙火災検知器１３Ａ，１３Ｂ）を保護することができる。
【００３４】
さらに、実施例１に係る煙火災検知器保護カバー１Ａ１の弾性緩衝材４として、低反発性素材からなるスポンジ体を用いてもよい。
なお、低反発性素材とは、反発力が低いウレタン製のスポンジ体であり、力がかかるとゆっくりと沈み、ゆっくりと戻る性質を有するものである。本発明では、スポンジ体に物体を押し当てて、その物体をスポンジ体から離間させた直後に、スポンジ体に押し当てた物体の形状が残存するスポンジ体を、低反発性素材からなるスポンジ体と呼ぶことにする。
この場合、弾性緩衝材４の弾性反発力が弱まるものの、弾性緩衝材４が、装着対象である煙火災検知器（例えば、煙火災検知器１３Ａ，１３Ｂ）の最外に位置する周側面の形状に沿って密着するように弾性変形し、これにより、煙火災検知器保護カバー１Ａ１の保持効果が高まる。
このことは、形状や大きさの異なる様々な煙火災検知器に、実施例１に係る煙火災検知器保護カバー１Ａ１を装着できることを意味している。
つまり、低反発性素材からなる弾性緩衝材４を用いることで実施例１に係る煙火災検知器保護カバー１Ａ１の汎用性が高まる。
このような、実施例１に係る煙火災検知器保護カバー１Ａ１によれば、図６（ｂ）に示すような煙火災検知器１３Ｂにも支障なく装着して保持させることができる。
【００３５】
そして、装着対象である煙火災検知器１３Ａへの煙火災検知器保護カバー１Ａ１の固定が完了した後は、カバー本体２の第２の室部２ｂにおいて、取付け治具９の頭部１０を、棒体１１を基軸に逆方向に、９０°回動させて、切欠き部６ａから取付け治具９の頭部１０を抜き取ればよい。
また、実施例１に係る煙火災検知器保護カバー１Ａ１の使用後に、例えば、煙火災検知器１３Ａから、実施例１に係る煙火災検知器保護カバー１Ａ１を取り外すには、上述の手順の逆を行えばよい。
なお、実施例１に係る煙火災検知器保護カバー１Ａ１の取外しには、必ずしも、取付け治具９を用いる必要はなく、カバー本体２に設けられる紐８を鉛直下方に引くことによっても容易にカバー本体２を、装着対象である煙火災検知器１３Ａから取り外すことができる。
さらに、紐８は、煙火災検知器に実施例１に係る煙火災検知器保護カバー１Ａ１が装着されていることを示す目印にもなる。
このため、実施例１に係る煙火災検知器保護カバー１Ａ１を装着して、火花や粉塵、煙等が生じる作業を完了した後に、装着対象である煙火災検知器から実施例１に係る煙火災検知器保護カバー１Ａ１を取外し忘れるのを好適に防止できる。
【００３６】
さらに、実施例１に係る煙火災検知器保護カバー１Ａ１は、取付け治具９や紐８を使用することなく装着対象である煙火災検知器に着脱することができる。
つまり、実施例１に係る煙火災検知器保護カバー１Ａ１のカバー本体２を、作業者が直接手で持って、装着対象である煙火災検知器に着脱させてもよい。
従って、実施例１に係る煙火災検知器保護カバー１Ａ１における第１の室部２ａ、切欠き部６ａ、取付け治具９および紐８は、必須の構成ではなく、必要に応じて設ければよい。
【００３７】
このような、実施例１に係る煙火災検知器保護カバー１Ａ１およびその取付け治具９によれば、装着対象である煙火災検知器（例えば、煙火災検知器１３Ａ，１３Ｂ）の最外に配置される周側面の全面が、弾性緩衝材４により被覆されるので、弾性緩衝材４による煙火災検知器の保持効果を向上できる。
これにより、装着対象である煙火災検知器の形状や大きさが異なる場合であっても、実施例１に係る煙火災検知器保護カバー１Ａ１を覆設することができる。
また、仮に大きさの異なる煙火災検知器保護カバー１Ａ１を使用する必要がある場合でも、カバー本体２に形成される第２の室部２ｂや切欠き部６ａの大きさを一定にしておくことで、一種類の取付け治具９によりその挿脱作業を行うことが可能になる。
よって、この点からも汎用性の高い煙火災検知器保護カバー１Ａ１およびその取付け治具９を提供することができる。
さらに、実施例１に係る煙火災検知器保護カバー１Ａ１によれば、装着対象である煙火災検知器に装着した場合に、弾性緩衝材４がカバー本体２の外側と内側を隔てる仕切りとして機能するため、煙火災検知器保護カバー１Ａ１の装着時に、煙火災検知器が収容される第１の中空部３ａに粉塵や煙が流入するのを好適に防止できる。
これにより、煙火災検知器保護カバー１Ａ１の装着時に煙火災検知器の誤作動を確実に防止できる。
【００３８】
なお、実施例１に係る煙火災検知器保護カバー１Ａ１を構成するカバー本体２の材質としては、軽量で十分な剛性を有する合成樹脂を想定しているが、火花のよる損傷や穴開きを防止するために、その表面にアルミフィルム等を貼設するなどして、耐熱性を向上させてもよい。
あるいは、耐熱性又は難燃性を有する材質によりカバー本体２を構成してもよい。
【００３９】
次に、実施例１に係る煙火災検知器保護カバー１Ａ１の変形例について図４を参照しながら説明する。
図４（ａ）は本発明の実施例１の変形例に係る煙火災検知器保護カバーを底面側から見た図である。（ｂ）は本発明の実施例１の変形例に係る煙火災検知器保護カバーの第２の中空部への取付け治具の頭部の装着手順を示すための概念図である。なお、図１乃至図３，６に記載されたものと同一部分については同一符号を付し、その構成についての説明は省略する。
図４に示すように、実施例１の変形例に係る煙火災検知器保護カバー１Ａ２は、煙火災検知器保護カバー１Ａ１と比較して、切欠き部６ｂの形状が異なっている。
より具体的には、実施例１の変形例に係る煙火災検知器保護カバー１Ａ２では、図４（ａ）に示すように、取付け治具９の頭部１０の平面形状と符合する又は相似となるような形状の切欠き部６ｂが形成されている。
なお、切欠き部６ｂの形状は、取付け治具９の頭部１０の平面形状と、完全に符合していたり、完全に相似である必要はなく、第２の中空部３ｂに頭部１０が挿脱可能であり、かつ、切欠き部６ｂの形状から頭部１０の外形を容易にイメージできる形状であればよい。
つまり、切欠き部６ｂの形状が、例えば、図２に示すような取付け治具９の頭部１０の平面形状に似ているほど、作業者は、切欠き部６ｂに取付け治具９の頭部１０をスムーズに挿入するために、取付け治具９の頭部１０をどう配置すればよいかを理解しやすくなる。
このため、切欠き部６ｂの形状の少なくとも一部が、取付け治具９の頭部１０の平面形状と符合していたり、あるいは、相似であればよい。
このように、切欠き部６ｂの形状から、取付け治具９の頭部１０の形状を容易にイメージできるよう構成しておくことで、作業者は、目視で確認しながら取付け治具９の頭部１０をスムーズに、切欠き部６ｂへの挿入に適した位置に移動させることができる。
これにより、変形例に係る煙火災検知器保護カバー１Ａ２に対する取付け治具９の挿脱作業を一層スムーズにできる。
【００４０】
つまり、装着対象である煙火災検知器（例えば、煙火災検知器１３Ａ，１３Ｂ）に装着されている煙火災検知器保護カバー１Ａ２を取り外そうとして、第２の室部２ｂに形成される切欠き部６ｂに、取付け治具９の頭部１０を挿入しようとした際に、作業者は、鉛直下方側から見上げるだけで、取付け治具９の頭部１０の位置および向きが適切であるか否かを目視により容易に判断できる（図４（ｂ）を参照）。
これにより、作業者は、切欠き部６ｂへの取付け治具９の頭部１０の挿脱をスムーズに行うことができる。よって、実施例１の変形例に係る煙火災検知器保護カバー１Ａ２の着脱作業を一層迅速に行うことができる。
【実施例２】
【００４１】
最後に、図５を参照しながら本発明の実施例２に係る煙火災検知器保護カバー１Ｂについて詳細に説明する。
先の実施例１に係る煙火災検知器保護カバー１Ａ１，１Ａ２において、装着対象である煙火災検知器の外形および大きさに対する汎用性を高めようとして弾性緩衝材４の厚み（水平方向の厚み）を大きくすると、中空部４ａの径が容易に広がらず、大型の火災検知器を中空部４ａにスムーズに収容できなくなる恐れがあった。
本発明の実施例２に係る煙火災検知器保護カバーは、このような課題に対処するためのものである。
なお、実施例２では、本発明に係る煙火災検知器保護カバーの他の実施形態として、カバー本体２が第２の室部２ｂを備えない場合を示している。
よって、実施例２に係る煙火災検知器保護カバー１Ｂを実際に使用する場合は、作業員がカバー本体２を手で持って装着対象である煙火災検知器（例えば、煙火災検知器１３Ａ，１３Ｂ）に直に着脱させる必要がある。
【００４２】
図５（ａ）は本発明の実施例２に係る煙火災検知器保護カバーの概念図である。また、（ｂ）は本発明の実施例２に係る煙火災検知器保護カバーの使用状態を示す垂直方向断面図である。なお、図１乃至図４，６に記載されたものと同一部分については同一符号を付し、その構成についての説明は省略する。
図５に示すように、実施例２に係る煙火災検知器保護カバー１Ｂは、カバー本体２の第１の中空部３ａの内側面に周設されるスポンジ体から成る弾性緩衝材４が、中空部４ａに加えて、放射状に形成されるスリット４ｂを備えたものである。
この場合、弾性緩衝材４の中空部４ａに、比較的大きな径（径Ｂ、図６を参照）を有する煙火災検知器を挿入する際に、弾性緩衝材４の中空部４ａの径Ｃを必要量だけ押し広げることができる。
この結果、実施例２に係る煙火災検知器保護カバー１Ｂによれば、より多様な外形および大きさの煙火災検知器に煙火災検知器保護カバー１Ｂを装着することが可能になる。
従って、実施例２に係る煙火災検知器保護カバー１Ｂによれば、先の実施例１に係る煙火災検知器保護カバー１Ａ１，１Ａ２よりもより汎用性の高い煙火災検知器保護カバーを提供できる。
【００４３】
また、特に図示しないが、先の図５（ａ）に示す煙火災検知器保護カバー１Ｂの弾性緩衝材４において、中空部４ａを設けることなくスリット４ｂのみを形成してもよい。
この場合、煙火災検知器への弾性緩衝材４の挿入がやや難しくなることが予測されるものの、装着対象である煙火災検知器の外周面と弾性緩衝材４の接触面積を最大にできるので、煙火災検知器保護カバー１Ｂの汎用性および弾性緩衝材４によるカバー本体２の保持効果が最大になる。
さらに、本実施の形態においては、取付け治具９の頭部１０の平面形状が一文字状である場合を例に挙げて説明しているが、頭部１０の平面形状をこの形状に特定する必要性は特になく、所望の形状に設定してよい。
取付け治具９の頭部１０の平面形状を、図２に示すもの以外の形状にする場合は、カバー本体２の第２の室部２ｂに形成される切欠き部６ａ，６ｂの形状も、取付け治具９の頭部１０の平面形状に合わせた形状に変更する必要がある。
なお、本実施の形態に係る取付け治具９の形状が、先の図２に示すような一文字状である場合は、取付け治具９全体がＴ字状になるので、収納や搬送には有利である。
あるいは、取付け治具９における頭部１０と棒体１１を着脱可能に構成してもよい、この場合、頭部１０の形状が複雑な場合に、その収納や搬送を容易にできるというメリットがある。
【産業上の利用可能性】
【００４４】
以上説明したように本発明は、煙火災検知器への挿脱が容易で、かつ、煙火災検知器の外形および大きさに対する汎用性が高く、外部から作用する衝撃に対する緩衝作用を有し、しかも、構造が極めてシンプルな煙火災検知器保護カバーおよびその取付け治具であり、屋内設備の保守、保護に関する技術分野において利用可能である。
【符号の説明】
【００４５】
１Ａ１，１Ａ２，１Ｂ…煙火災検知器保護カバー  ２…カバー本体  ２ａ…第１の室部  ２ｂ…第２の室部  ３ａ…第１の中空部  ３ｂ…第２の中空部  ４…弾性緩衝材（スポンジ体）  ４ａ…中空部  ４ｂ…スリット  ５…接着剤  ６ａ，６ｂ…切欠き部  ７…ストッパー  ８…紐  ９…取付け治具  １０…頭部  １０ａ…上面  １１…棒体  １２…天井  １３Ａ，１３Ｂ…煙火災検知器
【図１】
0006550758.tif 000002
【図２】
0006550758.tif 000003
【図３】
0006550758.tif 000004
【図４】
0006550758.tif 000005
【図５】
0006550758.tif 000006
【図６】
0006550758.tif 000007